(57)【特許請求の範囲】
【請求項１】
ベースパネルと、上記ベースパネルの左側端と右側端とに沿って配置される左サイドパネルおよび右サイドパネルと、上記左サイドパネルと上記右サイドパネルの前端間に掛け渡されるフロントビームと、上記左サイドパネルと上記右サイドパネルの後端間に掛け渡されるリアビームとを含む筐体を有し、上記筐体の内部が、上記フロントビームおよびリアビームを含む平面を境にして、下部が熱交換器および圧縮機を有する機械室、上部が送風機を有する送風機室とに区画されており、上記送風機室内には、第１送風機と第２送風機が上記フロントビームとリアビームとで横並びに支持されているとともに、上記筐体の天面には上記送風機の空気吹出口が設けられている空気調和機の室外機において、
上記ベースパネルの前端と上記フロントビームとの間には上記フロントビームの中間部分を支えるフロントピラーが設けられているとともに、上記ベースパネルの後端と上記リアビームとの間には上記リアビームの中間部分を支えるためのリアピラーが設けられており、
上記熱交換器はともにコ字状に形成された第１熱交換器と第２熱交換器を有し、上記機械室のうち、上記第１送風機側の下部空間を左機械室、上記第２送風機側の下部空間を右機械室として、上記第１熱交換器と上記第２熱交換器はそれらの端部同士が向き合うようにして上記左機械室と上記右機械室とに配置され、
上記フロントピラーには上記左機械室の前面に配置される左フロントピラーと、上記右機械室の前面に配置される右フロントピラーとが含まれており、
上記左フロントピラーには上記第１熱交換器の前面側を筐体外に露出させる前面吸込グリルが一体に形成されているとともに、上記右フロントピラーには上記第２熱交換器の前面側を筐体外に露出させる前面吸込グリルが一体に形成されていることを特徴とする空気調和機の室外機。
【請求項２】
上記リアピラーは、上記第１熱交換器の後端部と上記第２熱交換器の後端部との間に存在する背面開口部を閉塞する位置に配置されることを特徴とする請求項１に記載の空気調和機の室外機。
【請求項３】
上記左フロントピラーの左端が上記左サイドパネルの前端に沿って固定され、上記右フロントピラーの右端が上記右サイドパネルの前端に沿って固定されていることを特徴とする請求項１または２に記載の空気調和機の室外機。
【請求項４】
上記左サイドパネルは、上記ベースパネルの左端の各角部に係合する一対の支柱部と上記支柱部間に形成され上記第１熱交換器の側部を筐体外に露出させる側面吸込グリルとを備えており、
上記右サイドパネルは、上記ベースパネルの右端の各角部に係合する一対の支柱部と上記支柱部間に形成され上記第２熱交換器の側部を筐体外に露出させる側面吸込グリルとを備えていることを特徴とする請求項１ないし３のいずれか１項に記載の空気調和機の室外機。
【請求項５】
上記左フロントピラーと上記右フロントピラーとの間にはメンテナンス用の前面開口部が存在しており、上記左フロントピラーと上記右フロントピラーとの間には上記前面開口部を閉塞するサービスパネルが設けられていることを特徴とする請求項１ないし４のいずれか１項に記載の空気調和機の室外機。
【発明の詳細な説明】
【技術分野】
【０００１】
本発明は、空気調和機の室外機に関し、さらに詳しく言えば、熱交換器および圧縮機を有する機械室の上部に送風機室が配置されている空気調和機の室外機に関する。
【背景技術】
【０００２】
空気調和機の１つとして、１台の室外機に複数台の室内機が接続されるマルチタイプの空気調和機がある。例えば特許文献１に記載されているように、マルチタイプの空気調和機の室外機は、矩形状の底板と、底板の左右両端に立設されて固定される一対の側板と、底板の前端に立設されて固定される前板と、底板の後端に立設されて固定される後板と、上面を閉塞する天板とを備えた縦長な直方体状の筐体を備えている。
【０００３】
この種の室外機は、筐体の内部がフロントビームおよびリアビームを含む平面を境にして、下部が熱交換器および圧縮機を有する機械室と、上部が送風機を有する送風機室とに区画されており、送風機室内には送風機がフロントビームとリアビームとに支持されている。
【０００４】
筐体の天面には送風機の空気吹出口が設けられており、送風機の回転に伴って機械室内が負圧空間となり、筐体外周から熱交換器を通過して機械室内に入った空気が送風機室を通って筐体上部から筐体外に排出されることにより、空気と冷媒の熱交換が行われるようになっている。
【０００５】
また、より高出力型のマルチタイプの空気調和機の室外機の一例として、筐体内に大型の熱交換器と、２台の送風機を組み込むタイプのものもある。この室外機は、２台の送風機を筐体内に組み込むため、筐体を横長な直方体状とし、その内部に２台の送風機をフロントビームおよびリアビームの間に左右横並びで配置している（例えば特許文献２参照）。
【０００６】
しかしながら、筐体を横長に設計して、フロントビームおよびリアビームの間に２台の送風機を横並びに取り付けると、フロントビームおよびリアビームの中央に大きな曲げモーメントが加わって歪んだり撓むおそれがある。
【０００７】
もしフロントビームおよびリアビームが歪んだり撓むと、パネルなどの組み付けに支障を来すおそれがあり好ましくない。そこで、補強のために梁部材や支柱の数を増やしたり、板厚を厚くして機械的強度を上げることが望まれるが、この補強に係るコストアップは否めない。
【先行技術文献】
【特許文献】
【０００８】
【特許文献１】特許第４８９４２９９号公報
【特許文献２】特開２０００−２４０９８３号公報
【発明の概要】
【発明が解決しようとする課題】
【０００９】
そこで、本発明の課題は、２つの送風機を備えた大型の空気調和機の室外機において、より安価かつ簡単に筐体の機械的強度を高めて組立安定性がよく、さらにネジなどの部品点数を少なくしてコストを抑えた空気調和機の室外機を提供することにある。
【課題を解決するための手段】
【００１０】
上述した課題を解決するため、本発明は、ベースパネルと、上記ベースパネルの左側端と右側端とに沿って配置される左サイドパネルおよび右サイドパネルと、上記左サイドパネルと上記右サイドパネルの前端間に掛け渡されるフロントビームと、上記左サイドパネルと上記右サイドパネルの後端間に掛け渡されるリアビームとを含む筐体を有し、上記筐体の内部が、上記フロントビームおよびリアビームを含む平面を境にして、下部が熱交換器および圧縮機を有する機械室、上部が送風機を有する送風機室とに区画されており、上記送風機室内には、第１送風機と第２送風機が上記フロントビームとリアビームとで横並びに支持されているとともに、上記筐体の天面には上記送風機の空気吹出口が設けられている空気調和機の室外機において、
上記ベースパネルの前端と上記フロントビームとの間には上記フロントビームの中間部分を支えるフロントピラーが設けられているとともに、上記ベースパネルの後端と上記リアビームとの間には上記リアビームの中間部分を支えるためのリアピラーが設けられており、上記熱交換器はともにコ字状に形成された第１熱交換器と第２熱交換器を有し、上記機械室のうち、上記第１送風機側の下部空間を左機械室、上記第２送風機側の下部空間を右機械室として、上記第１熱交換器と上記第２熱交換器はそれらの端部同士が向き合うようにして上記左機械室と上記右機械室とに配置され、上記フロントピラーには上記左機械室の前面に配置される左フロントピラーと、上記右機械室の前面に配置される右フロントピラーとが含まれており、上記左フロントピラーには上記第１熱交換器の前面側を筐体外に露出させる前面吸込グリルが一体に形成されているとともに、上記右フロントピラーには上記第２熱交換器の前面側を筐体外に露出させる前面吸込グリルが一体に形成されていることを特徴としている。
【００１２】
さらに好ましい態様として、上記リアピラーは、上記第１熱交換器の後端部と上記第２熱交換器の後端部との間に存在する背面開口部を閉塞する位置に配置される。
【００１３】
また別の態様として、上記左フロントピラーの左端が上記左サイドパネルの前端に沿って固定され、上記右フロントピラーの右端が上記右サイドパネルの前端に沿って固定されている。
【００１４】
さらに別の態様として、上記左サイドパネルは、上記ベースパネルの左端の各角部に係合する一対の支柱部と上記支柱部間に形成され上記第１熱交換器の側部を筐体外に露出させる側面吸込グリルとを備えており、上記右サイドパネルは、上記ベースパネルの右端の各角部に係合する一対の支柱部と上記支柱部間に形成され上記第２熱交換器の側部を筐体外に露出させる側面吸込グリルとを備えている。
【００１６】
さらに、上記左フロントピラーと上記右フロントピラーとの間にはメンテナンス用の前面開口部が存在しており、上記左フロントピラーと上記右フロントピラーとの間には上記前面開口部を閉塞するサービスパネルが設けられていることを特徴としている。
【発明の効果】
【００１７】
本発明によれば、筐体全体の機械的強度を高めることができる。また、固定に使用するネジを削減し、コストダウンと組立性を改善できる。
【図面の簡単な説明】
【００１８】
【図１】本発明の一実施形態に係る空気調和機の室外機の正面側外観斜視図。
【図２】上記空気調和機の室外機の背面側外観斜視図。
【図３】図１のＡ−Ａ線断面図。
【図４】フロントピラーをベースパネル、フロントビームおよびサイドパネルに取り付けた状態の正面側外観斜視図。
【図５】ベースパネルの斜視図。
【図６】サイドパネルの（ａ）表面側斜視図および（ｂ）裏面側斜視図。
【図７】図６（ａ）のＢ−Ｂ線断面図
【図８】左フロントピラーの（ａ）表面側斜視図および（ｂ）裏面側斜視図。
【図９】図７（ａ）のＣ−Ｃ線断面図
【図１０】リアピラーの（ａ）表面側斜視図および（ｂ）裏面側斜視図。
【図１１】図１０（ａ）のＤ−Ｄ線断面図
【図１２】図４のＥ−Ｅ線断面図
【図１３】図２のＦ−Ｆ線断面図。
【発明を実施するための形態】
【００１９】
次に、本発明の空気調和機の室外機について図面を参照しながら説明するが、本発明はこの限りではない。
【００２０】
図１ないし図４に示すように、この空気調和機の室外機１は、左右方向（図１では左右方向）に横長な直方体形状の筐体２を有し、筐体２の内部が熱交換器３および圧縮機等（図示しない）を有する機械室ＭＣと、送風機４を有する送風機室ＦＣとに区画されている。この実施形態において、機械室ＭＣは筐体２内の下部に配置されており、機械室ＭＣの上方に送風機室ＦＣが配置されている。
【００２１】
図４において筐体２の左右方向を正面に見て、機械室ＭＣの左半分の空間を左機械室ＭＬ、右半分の空間を右機械室ＭＲ、送風機室ＦＣの左半分の空間を左送風機室ＦＬ、送風機室ＦＣの右半分の空間を右送風機室ＦＲとして、筐体２の左機械室ＭＬには第１熱交換器３Ｌが配置され、右機械室ＭＲには第２熱交換器３Ｒが配置されている。
【００２２】
また、左送風機室ＦＬには第１送風機４Ｌが配置されており、右送風機室ＦＲには第２送風機４Ｒが配置されており、筐体２の上面には、第１送風機４Ｌの第１空気吹出口１１Ｌと、第２送風機４Ｒの第２空気吹出口１１Ｒとがそれぞれ設けられている。
【００２３】
筐体２は、基本的な構造として、被設置面に設置される長方形状のベースパネル２０と、ベースパネル２０の左側端に立設される左サイドパネル３０Ｌと、ベースパネル２０の右側端に立設される右サイドパネル３０Ｒと、左サイドパネル３０Ｌの前端と右サイドパネル３０Ｒの前端との間に水平に掛け渡されるフロントビーム４０Ｆ（図４参照）と、左サイドパネル３０Ｌの後端と右サイドパネル３０Ｒの後端との間に水平に掛け渡されるリアビーム４０Ｒ（図４参照）とを備えている。
【００２４】
図５に示すように、ベースパネル２０は、鋼板をプレス加工や溶接加工したものからなり、横長な長方形状に形成されている。ベースパネル２０には、その周縁にパネルなどがネジ止めされる係止部２１が全周に渡ってほぼ垂直に立設されている。
【００２５】
ベースパネル２０には、室外機１を図示しない被設置面に設置する際の前脚２２および後脚２３が形成されている。前脚２２は、ベースパネル２０の前端側（図５では手前側）から下側に向かってほぼ直角に折り曲げられ、左右にわたって連続して形成されている。後脚２３は、ベースパネル２０の後端側（図５では奥側）から下側に向かってほぼ直角に折り曲げられ、左右両端に連続して形成されている。
【００２６】
図３を併せて参照し、熱交換器３は、第１熱交換器３Ｌおよび第２熱交換器３Ｒの２つの熱交換器ユニットを含んでいる。第１熱交換器３Ｌは、ベースパネル２０の左前端に沿って配置される左前面部３１０Ｌと、ベースパネル２０の左側端に沿って配置される左側面部３２０Ｌと、ベースパネル２０の左後端に沿って配置される左後面部３３０Ｌとを有し、上面視（図３の紙面方向）でコ字状に形成されている。
【００２７】
第１熱交換器３Ｌは、左前面部３１０Ｌの前端部に取り付けられた前端板３４Ｌと、左後面部３３０Ｌの後端部に取り付けられた後端板３５Ｌとを介してベースパネル２０に固定されている。
【００２８】
第２熱交換器３Ｒは、ベースパネル２０の右前端に沿って配置される右前面部３１０Ｒと、ベースパネル２０の右側端に沿って配置される右側面部３２０Ｒと、ベースパネル２０の右後端に沿って配置される右後面部３３０Ｒとを有し、上面視（図３の紙面方向）でコ字状に形成されている。
【００２９】
第２熱交換器３Ｒは、右前面部３１０Ｒの前端部に取り付けられた前端板３４Ｒと、右後面部３３０Ｒの後端部に取り付けられた後端板３５Ｒとを介してベースパネル２０に固定されている。
【００３０】
次に、図６および図７を参照して、左サイドパネル３０Ｌおよび右サイドパネル３０Ｒの構成について説明するが、左サイドパネル３０Ｌおよび右サイドパネル３０Ｒは、基本的な形状は同じであり、それらが左右対称に配置されているため、以下においては、右サイドパネル３０Ｒの構成について説明する。
【００３１】
この実施形態において、右サイドパネル３０Ｒは、金属板をプレス成形したものからなり、その幅は、ベースパネル２０の右端の長さとほぼ同じであって、筐体２の下端から上端に至る縦長な長方形状に形成されている。
【００３２】
右サイドパネル３０Ｒは、ベースパネル２０の角部に係合する一対の支柱部３１Ｒ，３２Ｒと、第２熱交換器３Ｒの左側面部３２０Ｒを保護するとともに、側面吸込グリルとしてのグリル部３３と、図２において送風機室ＦＣの右側面を塞ぐパネル部３４とを備えている。
【００３３】
図７に示すように、支柱部３１Ｒ，３２Ｒは断面コ字状を呈し、その先端部には係止部３１１Ｒがパネル面に対してほぼ直角に折り曲げられている。支柱部３１Ｒ，３２Ｒの下端は、ベースパネル２０の前脚２２および後脚２３の側面に係合するため、右サイドパネル３０Ｒの下端から突出している。
【００３４】
グリル部３３は、第２熱交換器３Ｒの下端から上端に至る部分が格子状に開口されており、グリル部３３を介して第２熱交換器３Ｒが外部に露出するようになっている。パネル部３４は、送風機室ＦＣの右側面を閉塞するパネル面であって、補強用のリブ３４１がこの例では３箇所設けられている。
【００３５】
図４を参照して、フロントビーム４０Ｆは、この例において断面Ｌ字状のアングル鋼材からなり、左サイドパネル３０Ｌの支柱部３１Ｌと右サイドパネル３０Ｒの支柱部３１Ｒとの間に水平に掛け渡されている。フロントビーム４０Ｆの一端は、左サイドパネル３０Ｌの前端側の支柱部３１Ｌの係止部３１１Ｌにネジ止めされ、他端が右サイドパネル３０Ｒの前端側の支柱部３１Ｒの係止部３１１Ｒにネジ止めされている。
【００３６】
リアビーム４０Ｒは、同じく断面Ｌ字状のアングル鋼材からなり、サイドパネル３０Ｌの支柱部３２Ｌと右サイドパネル３０Ｒの支柱部３２Ｒとの間に水平に掛け渡されている。リアビーム４０Ｒの一端は、左サイドパネル３０Ｌの後端側の支柱部３２Ｌの係止部３１１Ｌにネジ止めされており、他端が右サイドパネル３０Ｒの後端側の支柱部３２Ｒの係止部３１１Ｒにネジ止めされている。
【００３７】
この実施形態において、フロントビーム４０Ｆおよびリアビーム４０Ｒは、筐体２の機械室ＭＣと送風機室ＦＣとの境界に沿って配置されており、フロントビーム４０Ｆおよびリアビーム４０Ｒ同士は同一平面上で互いに平行、かつ、ベースパネル２０とも平行となるように配置されている。
【００３８】
図４を参照して、フロントビーム４０Ｆおよびリアビーム４０Ｒには、第１送風機４Ｌをマウントする第１モータブラケット４１Ｌと、第２送風機４Ｒをマウントする第２モータブラケット４１Ｒとが設けられている。この実施形態において、第１モータブラケット４１Ｌは左送風機室ＦＬに配置され、第２モータブラケット４１Ｒは右送風機室ＦＲに配置されている。
【００３９】
第１モータブラケット４１Ｌおよび第２モータブラケット４１Ｒはともに同一構成のため、以下においては一方の第１モータブラケット４１Ｌについて説明する。第１モータブラケット４１Ｌは、フロントビーム４０Ｆとリアビーム４０Ｒとの間に平行に掛け渡される一対の梁部材であって、その両端がフロントビーム４０Ｆとリアビーム４０Ｒに対してそれぞれネジ止め固定されている。
【００４０】
第１モータブラケット４１Ｌには、送風機４ＬのファンモータＭが搭載されており、ファンモータＭの回転軸に送風ファン（図示しない）が取り付けられる。なお、送風ファンの外周にはベルマウス（図示しない）が設けられるがその説明は省略する。
【００４１】
これによれば、フロントビーム４０Ｆとリアビーム４０Ｒに２台の送風機４Ｌ，４Ｒが左右横並びで配置されるため、フロントビーム４０Ｆとリアビーム４０Ｒには両端から中央に向かって曲げモーメントが大きくなり、フロントビーム４０Ｆとリアビーム４０Ｒに歪みや撓みが生じるおそれがある。
【００４２】
そこで、フロントビーム４０Ｆとリアビーム４０Ｒの機械的強度を高めるため、筐体２には、フロントピラー５０とリアピラー６０とが設けられている。フロントピラー５０は、左機械室ＭＬの前面側に配置される左フロントピラー５０Ｌと、右機械室ＭＲの前面側に配置される右フロントピラー５０Ｒとを備えている。
【００４３】
以下、図８および図９を参照して、各フロントピラー５０Ｌ，５０Ｒの構成を説明するが、左フロントピラー５０Ｌおよび右フロントピラー５０Ｒの基本的な構成は同一であり、左右対称形状であるため、一方の左フロントピラー５０Ｌについて説明する。
【００４４】
左フロントピラー５０Ｌは、例えば１枚の鋼板をプレス成型したものからなり、縦長な長方形状に形成されている。左フロントピラー５０Ｌは、第１熱交換器３Ｌの左前面部３１０Ｌを保護しつつ、第１熱交換器３Ｌの前面側を筐体外に露出させる前面吸込グリルとしてのグリル部５１Ｌを備えている。この実施形態において、グリル部５１Ｌは四角く切り抜かれた貫通孔５１１が８箇所設けられた格子状に形成されている。
【００４５】
左フロントピラー５０Ｌの左端には、左フロントピラー５０Ｌを左サイドパネル３０Ｌの支柱部３１にネジ止めするための第１フランジ部５２が設けられている。左フロントピラー５０Ｌの右端には、後述するサービスパネル７０Ａ，７０Ｂおよび電装品箱８０が取り付けられる第２フランジ部５３が設けられている。左フロントピラー５０Ｌの上端にはさらにフロントビーム４０Ｆにネジ止めするための第３フランジ部５４が設けられている。
【００４６】
左フロントピラー５０Ｌは、下端側がベースパネル２０にネジ止めされ、上端側が第３フランジ部５４を介してフロントビーム４０Ｆにネジ止めされるが、さらに図１２に示すように、第１フランジ部５２が左サイドパネル４０Ｌの支柱部３１Ｌの係止部３１１Ｌに沿って当接した状態でネジ止めされている。
【００４７】
図１０および図１１に示すように、リアピラー６０は、例えば鋼板をプレス成形したものからなり、下端がベースパネル２０に固定され、上端がリアビーム４０Ｒに固定される縦長な長方形状に形成されている。
【００４８】
リアピラー６０は、中央に第１熱交換器３Ｌと第２熱交換器３Ｒの間に存在する背面開口部２Ｂを閉塞するパネル本体６１を備えている。リアピラー６０の右端（図１０（ａ）では右端）には、第１熱交換器３Ｌの端板３５Ｌにネジ止めされる第１フランジ部６２が形成されており、リアピラー６０の左端（図１０（ａ）では左端）には、第２熱交換器３Ｒの端板３５Ｒにネジ止めされる第２フランジ部６３が形成されている。リアピラー６０の上端には、リアビーム４０Ｒにネジ止めされる第３フランジ部６４が形成されている。
【００４９】
図１１に示すように、第１フランジ部６２および第２フランジ部６３は、パネル本体６１のパネル面よりも一段凹まされた位置に形成されており、その各先端部６２１，６３１は、筐体２の内部に向けてほぼ直角に折り曲げられている。
【００５０】
図１３に示すように、リアピラー６０は、下端がベースパネル２０にネジ止めされ、上端がリアビーム４０Ｒにネジ止めされるとともに、第１フランジ部６２が第１熱交換器３Ｌの端板３５Ｌにネジ止めされ、第２フランジ部６３が第２熱交換器３Ｒの端板３５Ｒにネジ止めされる。これにより、図２に示すように、第１熱交換器３Ｌと第２熱交換器３Ｒとの間に存在する背面開口部２Ｂをリアピラー６０で塞ぐことができる。
【００５１】
これによれば、２枚のフロントピラー５０Ｌ，５０Ｒをベースパネル２０とフロントビーム４０Ｆの間にネジ止めし、リアピラー６０をベースパネル２０とリアビーム４０Ｒの間に係止することにより、筐体２の機械的強度が高められ、筐体２の変形や撓みを防止することができる。
【００５２】
なお、リアピラー６０と左右の各サイドパネル５０Ｌ，５０Ｒとの間には、第１熱交換器の背面部３３０Ｌおよび第２熱交換器３Ｒの背面部３３０Ｒをそれぞれ保護する保護グリル（図示しない）がネジ止めされているが、本発明では特に説明を必要としないため、その説明は省略する。
【００５３】
再び図１ないし４を参照して、筐体２の左フロントピラー５０Ｌと右フロントピラー５０Ｒとの間がメンテナンス用の前面開口部２Ａ（図４参照）となる。したがって、この前面開口部２Ａにサービスパネル７０が取り付けられる。
【００５４】
サービスパネル７０は、前面開口部２Ａの上部側を閉塞する上部サービスパネル７０Ａと、前面開口部２Ａの下部側を閉塞する下部サービスパネル７０Ｂとを有する２枚のパネル材からなる。
【００５５】
上部サービスパネル７０Ａおよび下部サービスパネル７０Ｂは、ほぼ正方形状の金属製パネルからなる。上部サービスパネル７０Ａおよび下部サービスパネル７０Ｂの左端（図１では左端）は、左フロントピラー５０Ｌの第２フランジ部５３にネジ止めされる第１係止フランジ７１が設けられている。上部サービスパネル７０Ａおよび下部サービスパネル７０Ｂの右端（図１では右端）は、右フロントピラー５０Ｒの第２フランジ部５３にネジ止めされる第２係止フランジ７２が設けられている。
【００５６】
この実施形態において、下部サービスパネル７０Ｂの左下隅はＬ字状に切りかかれており、その切欠部７３に図示しないコンジット管を接続するためのコンジットパネル７４が嵌め込まれている。
【００５７】
図３に示すように、上部サービスパネル７０Ａの裏面（筐体２の内側を向く面）には電装品箱８０が設置される。電装品箱８０は、上部サービスパネル７０Ａとほぼ同じ大きさの直方体形状の箱体からなり、左右のフロントピラー５０Ｌ，５０Ｒの第２フランジ部５３，５３にネジ止めされている。
【００５８】
筐体２の送風機室ＦＣの前面側（図１では正面側）には、フロントパネル９０Ｆが配置されており、送風機室ＦＣの背面側（図２では正面側）には、リアパネル９０Ｒが配置されている。フロントパネル９０Ｆおよびリアパネル９０Ｒはともに、送風機室ＦＣの前面側および背面側を覆う横長な長方形状の金属パネルであり、それぞれサイドパネル３０Ｌ，３０Ｒにネジ止めされている。
【００５９】
送風機室ＦＣの天面にはトップパネル９１が取り付けられている。トップパネル９１は筐体２の上面を覆う横長な長方形状の金属枠からなり、第１空気吹出口１１Ｌを露出させる四角い第１開口部９２Ｌと、第２空気吹出口１１Ｒを露出させる四角い第２開口部９２Ｒとが形成されている。この実施形態において、各開口部９２Ｌ，９２Ｒの間には補強用の梁部９４が形成されており、梁部９４を挟んで左右の各開口部９２Ｌ，９２Ｒにそれぞれ保護グリル９３Ｌ，９３Ｒがネジ止めされている。
【００６０】
以上説明したように、本発明によれば、第１熱交換器３Ｌの前面側のフロントビーム４０Ｆとベースパネル２０の間に左フロントピラー５０Ｌが固定され、第２熱交換器３Ｒの前面側のフロントビーム４０Ｆとベースパネル２０に右フロントピラー５０Ｒが固定され、さらに第１熱交換器３Ｌおよび第２熱交換器３Ｒの背面側の後端部３５Ｌ，３５Ｒの間に形成される背面開口部２Ｂを閉塞するリアピラー６０をリアビーム４０Ｒとベースパネル２０との間に固定することにより、左フロントピラー５０Ｌと右フロントピラー５０Ｒがフロントビーム４０Ｆの補強用の支柱となり、リアピラー６０がリアビーム４０Ｒの補強用の支柱となることにより、フロントビーム４０Ｆとリアビーム４０Ｒが歪んだり撓んだりすることを防止できる。その結果、筐体全体の機械的強度を高めることができ、組立安定性も向上する。
【００６１】
また、左右のフロントピラー５０Ｌ，５０Ｒには、格子状のグリルが一体的に形成されているため、保護グリルなどを別体で用意する必要がなくなり、保護グリルや固定用のネジを削減することができる。
【符号の説明】
【００６２】
１  空気調和機の室外機
１１Ｌ  第１空気吹出口
１１Ｒ  第２空気吹出口
２  筐体
３  熱交換器
３Ｌ  第１熱交換器
３Ｒ  第２熱交換器
４  送風機
４Ｌ  第１送風機
４Ｒ  第２送風機
２０  ベースパネル
３０Ｌ  左サイドパネル
３１Ｌ，３２Ｌ  支柱部
３０Ｒ  右サイドパネル
３１Ｒ，３２Ｒ  支柱部
３３  グリル部
３４  パネル部
４０Ｆ  フロントビーム
４０Ｒ  リアビーム
４１Ｌ  第１モータブラケット
４１Ｒ  第２モータブラケット
５０  フロントピラー
５０Ｌ  左フロントピラー
５０Ｒ  右フロントピラー
５１  グリル部
５２  第１フランジ部
５３  第２フランジ部
５４  第３フランジ部
６０  リアパネル
６１  パネル本体
６２  第１フランジ部
６３  第２フランジ部
６４  第３フランジ部
７０  サービスパネル
７０Ａ  上部サービスパネル
７０Ｂ  下部サービスパネル
８０  電装品箱
９０Ｆ  フロントパネル
９０Ｒ  リアパネル
ＦＣ  送風機室
ＦＬ  左送風機室
ＦＲ  右送風機室
ＭＣ  機械室
ＭＬ  左機械室
ＭＲ  右機械室
【図１】
0006701515.tif 000002
【図２】
0006701515.tif 000003
【図３】
0006701515.tif 000004
【図４】
0006701515.tif 000005
【図５】
0006701515.tif 000006
【図６】
0006701515.tif 000007
【図７】
0006701515.tif 000008
【図８】
0006701515.tif 000009
【図９】
0006701515.tif 000010
【図１０】
0006701515.tif 000011
【図１１】
0006701515.tif 000012
【図１２】
0006701515.tif 000013
【図１３】
0006701515.tif 000014